(57)【要約】【課題】本発明は，取り替えの容易なＬＥＤ電球を光源とし，十分な光量が広い範囲に照射されるようにし，また，ＬＥＤ電球を複数個使用しても確実に保持し，光源部全体をコンパクトに構成し，又，熱でＬＥＤ等の光源を消耗させないバルーンライトを提供する。【解決手段】バルーンライト１は，支持部材２に連結されるバルーン３と，前記支持部材２に保持され，前記バルーン３内部に配置される光源部１０と，前記支持部材２に配設される前記バルーン３内に空気を供給する送風機５とを備え，前記光源部１０は，前記支持部材２に保持される多角柱状の金属筒１２の一側面の一部に略Ｕ字状の切欠部を設け，該切欠部に囲まれた部分を筒の軸芯方向に折り曲げてソケット支持部１４としたものを，金属筒１２の各側面に少なくとも一箇所ずつ設け，該部１４に設けたソケット１６にＬＥＤ電球１８を取り付けたことを特徴とする。【選択図】図１
2017033822.tif 000002
【特許請求の範囲】
【請求項１】
支持部材に連結されるバルーンと，
前記支持部材に保持され，前記バルーン内部に配置される光源部と，
前記支持部材に配設される前記バルーン内部に空気を供給する送風機とを備えたバルーンライトであって，
前記光源部は，前記支持部材に保持される多角柱状の金属筒の一側面の一部に略Ｕ字状の切欠部を設け，該切欠部に囲まれた部分を前記金属筒の軸芯に向けて折り曲げ形成したソケット支持部を，前記金属筒の各側面に少なくとも一箇所ずつ設け，前記ソケット支持部に設置したソケットにＬＥＤ電球を取り付けたことを特徴とするバルーンライト。
【請求項２】
周方向に隣り合う前記ソケット支持部の長手方向の位置を互いにずらして，隣り合う前記ソケット支持部の少なくとも一部が段違いに重なるようにしたことを特徴とする請求項１記載のバルーンライト。
【請求項３】
前記光源部を，前記支持部材に保持される六角柱状の金属筒の一側面の一部に略Ｕ字状の切欠部を設け，該切欠部に囲まれた部分を前記金属筒の軸芯に向けて折り曲げ形成したソケット支持部を，前記金属筒の長手方向上部の各側面に一箇所ずつ計六箇所，前記金属筒の長手方向中央部の各側面に一箇所ずつ計六箇所，さらに前記金属筒の長手方向下部の側面一つおきに一箇所ずつ計三箇所設け，これらソケット支持部に設置したソケットにＬＥＤ電球を取り付けたことを特徴とする請求項１又は２記載のバルーンライト。
【請求項４】
前記支持部材は，取り付けベース部と該取り付けベース部に着脱可能に設置されるランプホルダー部とから構成され，前記取り付けベース部に前記送風機を配設し，前記ランプホルダー部に前記金属筒を配設したことを特徴とする請求項１〜３いずれか１項記載のバルーンライト。
【請求項５】
前記送風機に連通する通風孔を前記取り付けベース部に形成し，該通風孔にフィルターを設置したことを特徴とする請求項４記載のバルーンライト。
【請求項６】
前記支持部材に取り付けられ前記光源部を囲む保護枠体を備え，該保護枠体と前記支持部材とに着脱手段を設けて両者を着脱可能にしたことを特徴とする請求項１〜５いずれか１項記載のバルーンライト。
【請求項７】
前記支持部材に取り付けられ，前記支持部材とで前記バルーンを狭持して前記バルーンを前記支持部材に連結させるバルーン固定金具を備え，
該バルーン固定金具と前記支持部材とに着脱手段を設けて両者を着脱可能にしたことを特徴とする請求項１〜６いずれか１項記載のバルーンライト。
【請求項８】
前記バルーンに，前記光源部を出し入れする開口部を形成し，該開口部を開閉するファスナーを設けたことを特徴とする請求項１〜７いずれか１項記載のバルーンライト。
【請求項９】
中空の略楕円球を半割した略ボウル状で，側周壁部と底部とからなり，前記側周壁部が前記バルーン下部の表面に沿うように湾曲した支持具を前記支持部材に設置したことを特徴とする請求項１〜８いずれか１項記載のバルーンライト。
【発明の詳細な説明】
【技術分野】
【０００１】
本発明は，工事現場，倉庫，展示会場，スポーツ施設，グランド，広告塔，花火大会のイベント会場等の照明に利用されるバルーンライトに関する。
【背景技術】
【０００２】
夜間の工事現場等を照らすために，バルーンと，バルーン内部に配置される光源部（照明器具）と，空気を供給してバルーンを膨張させる送風機とを備えたバルーンライトが使用されている。
【０００３】
従来，バルーンライトは，光源に白熱電球，電球型蛍光ランプ，高圧水銀灯，ＨＩＤランプ（高輝度放電ランプ）等が使用されていたが，近年では，省電力化，長寿命化を図るため，光源にＬＥＤを使用するバルーンライトが提案されている（特許文献１，特許文献２）。
【０００４】
特許文献１のバルーンライトは，上側ほど大径の円錐台形になるように縦枠を複数本周方向に並べて略筒状の光源取付枠体を設け，この光源取付枠体の縦枠それぞれに，多数個のＬＥＤ素子を縦列で取り付けることで光源部を構成している。
【０００５】
また，特許文献２のバルーンライトは，平板状の基板に複数のＬＥＤ素子を一列に実装し，この基板を六つ用意し六角柱状に接合して光源部としている。
【先行技術文献】
【特許文献】
【０００６】
【特許文献１】特許第５４７７８０８号公報
【特許文献２】特許第５６３８６６３号公報
【発明の概要】
【発明が解決しようとする課題】
【０００７】
特許文献１のバルーンライトの光源部は，枠体に多数のＬＥＤ素子単体を直接実装するものであるため，寿命又は不具合により複数のＬＥＤを取り替えることが必要となった場合, ＬＥＤ素子単体を一つずつ替える必要があるため煩わしさがあった。また，特許文献２のバルーンライトについても，ＬＥＤの取り替えには，基板ごと替えるか，基板上のＬＥＤ素子単体を一つずつ替える必要がありその作業は煩わしいものであった。また，ＬＥＤ素子単体の光量は限られているため，特許文献１や特許文献２のバルーンライトのようにＬＥＤ素子を直接実装した枠体・基板を光源部としたものは，隣り合うＬＥＤ素子の間隔が大きくなると十分な光量を得られない問題も有った。
【０００８】
以上の問題を解決するために，充分な光量が得られるように複数のＬＥＤ素子が密集した状態で面実装され，取り付け及び取り外しを簡単にするために給電用の口金を有するＬＥＤ電球を使用することが考えられる。
【０００９】
しかし，白熱電球等の光はすべての方向に等しく放射されるが，ＬＥＤ電球の光は指向性があるため光が届かないエリアが生じてしまう，具体的には，前方方向には十分な光量が得られるが，口金側における照度が乏しいという問題があった。
【００１０】
そこで，光が広い範囲に均一に照射されるように，全方位に向けてＬＥＤ電球を複数個設置することが望まれるが，光源部全体が大きくなる問題が有り，また，ＬＥＤ電球は，一般に白熱電球等に比べると重たいためＬＥＤ電球を支持する部材には強度が求められる。
【００１１】
また，ＬＥＤは，冷却の問題もあり，元々が半導体素子であるＬＥＤ素子は熱に弱く，温度が上昇するに従い，発光効率が低下し，寿命も短くなることが知られている。従って，ＬＥＤ素子の発光時の熱を周囲に放熱する必要がある。
【００１２】
本発明は，上記問題点に鑑みてなされたものであって，取り替えの容易なＬＥＤ電球を光源として使用するものであって，十分な光量が広い範囲に照射されるようにし，また，重たいＬＥＤ電球を複数個使用してもしっかりと保持できる上，光源部全体をコンパクトにすることができ，さらに，熱でＬＥＤ等の光源を消耗させないバルーンライトを提供することを目的とする。
【課題を解決するための手段】
【００１３】
以下に，課題を解決するための手段を，発明を実施するための形態で使用する符号と共に記載する。この符号は，特許請求の範囲の記載と発明を実施するための形態の記載との対応を明らかにするために記載したものであり，言うまでもなく，本願発明の技術的範囲の解釈に制限的に用いられるものではない。
【００１４】
本発明のバルーンライト１は， 
支持部材２に連結されるバルーン３と，
前記支持部材２に保持され，前記バルーン３内部に配置される光源部１０と，
前記支持部材２に配設される前記バルーン３内部に空気を供給する送風機５とを備えたバルーンライト１であって，
前記光源部１０は，前記支持部材２に保持される多角柱状の金属筒１２の一側面の一部に略Ｕ字状の切欠部を設け，該切欠部に囲まれた部分を前記金属筒１２の軸芯に向けて折り曲げ形成したソケット支持部１４を，金属筒１２の各側面に少なくとも一箇所ずつ設け，前記ソケット支持部１４に設置したソケット１６にＬＥＤ電球１８を取り付けたことを特徴とする（請求項１）。
【００１５】
周方向に隣り合う前記ソケット支持部１４の長手方向の位置を互いにずらして，隣り合う前記ソケット支持部１４の少なくとも一部が段違いに重なるようにしても良い（請求項２）
【００１６】
また，前記光源部１０を，前記支持部材２に保持される六角柱状の金属筒１２の一側面の一部に略Ｕ字状の切欠部を設け，該切欠部に囲まれた前記金属筒１２の一部を前記金属筒１２の軸芯に向けて折り曲げ形成したソケット支持部１４を，前記金属筒１２の長手方向上部の各側面に一箇所ずつ計六箇所，前記金属筒１２の長手方向中央部の各側面に一箇所ずつ計六箇所，さらに前記金属筒１２の長手方向下部の側面一つおきに一箇所ずつ計三箇所設け，これらソケット支持部１４に設置したソケット１６にＬＥＤ電球１８を取り付けたものとしても良い（請求項３）。
【００１７】
前記支持部材２は，取り付けベース部２ａと該取り付けベース部２ａに着脱可能に設置されるランプホルダー部２ｂとから構成され，前記取り付けベース部２ａに前記送風機５を配設し，前記ランプホルダー部２ｂに前記金属筒１２を配設しても良い（請求項４）。
【００１８】
前記送風機５に連通する通風孔（図示せず）を前記取り付けベース部２ａに形成し，該通風孔にフィルター（図示せず）を設けても良い（請求項５）。
【００１９】
また，本発明のバルーンライト１は，前記支持部材２に取り付けられ前記光源部１０を囲む保護枠体７を備え，該保護枠体７と前記支持部材２とに着脱手段を設けて両者を着脱可能にしてもよい（請求項６）。
【００２０】
また，前記支持部材２に取り付けられ，前記支持部材２とで前記バルーン３を狭持して前記バルーン３を前記支持部材２に連結させるバルーン固定金具４を備え，
該バルーン固定金具４と前記支持部材２とに着脱手段を設けて両者を着脱可能にしても良い（請求項７）。
【００２１】
前記バルーン３に，前記光源部１０を出し入れする開口部を形成し，該開口部を開閉するファスナーを設けても良い（請求項８）。
【００２２】
中空の略楕円球を半割した略ボウル状で，側周壁部１９ａと底部１９ｂとからなり，前記側周壁部１９ａが前記バルーン３下部の表面に沿うように湾曲した支持具１９を前記支持部材２に設置しても良い（請求項９）。
【発明の効果】
【００２３】
本発明のバルーンライト１は光源部１０にＬＥＤ電球１８を使用しているため交換が容易であり，また，多角柱状の金属筒１２の各側面にＬＥＤ電球１８を設置しているため，外側全周方向に対し投光することができる上に，各ソケット１６に設置された各電球１８の口金部が金属筒１２内に入り込んだ状態となるため光源部１０全体をコンパクトにすることができるものとなっている。
【００２４】
また，本発明のバルーンライト１は金属筒１２によって，複数の重たいＬＥＤ電球１８をしっかり支持でき，また，ＬＥＤ電球１８を支持する外郭部材を金属材料としたことで，ＬＥＤの発熱を熱伝導により周部に放熱することができた。
【００２５】
軸芯に向けて折り曲げたソケット支持部１４が金属筒１２内で互いに接触しないように，周方向に隣り合うソケット支持部１４の高さを互いにずらし，隣り合うソケット支持部１４が段違いに重なるようにすることで，金属筒１２の断面の径を小さくし，光源部１０をよりコンパクトなものにすることができた。
【００２６】
支持部材２を，取り付けベース部２ａと該取り付けベース部２ａに着脱可能に設置されるランプホルダー部２ｂとから構成することで，支持部材２の取り付けベース部２ａに配設される送風機５の取り付け及び取り外しについては，前記ランプホルダー部２ｂを取り付けベース部２ａから外すことで，容易に行うことができた。
【００２７】
前記取り付けベース部２ａに前記送風機５に連通する前記通風孔を設けることで，送風機５からの給気が金属筒１２内を通る気流の通路が形成され，ＬＥＤ電球１８を効果的に冷却することができた。
【００２８】
前記保護枠体７によりＬＥＤ電球１８がバルーン３に接触せず，また，保護枠体７を着脱可能としたためＬＥＤ電球１８の取り替えが容易に行うことができた。
【００２９】
バルーン３を前記支持部材２と着脱可能な前記バルーン固定金具４とで狭持することにより支持部材２に連結することで，バルーン３の交換を容易に行うことができた。
【００３０】
前記バルーン３に，前記光源部１０を出し入れする開口部を形成し，該開口部を開閉するファスナーを設けることで，ファスナーの操作でバルーン３を開けて光源部１０を出して，ＬＥＤ電球１８の交換等を容易に行うことができた。
【００３１】
前記支持部材２に前記支持具１９を設置することで，膨らませた前記バルーン３の下部を前記支持具１９が支えて，バルーン３全体のふらつきを防ぐことができた。
【図面の簡単な説明】
【００３２】
【図１】本発明のバルーンライト１のバルーン３の内部構造の一実施形態を示す正面図。
【図２】図１の支持部材２の一部拡大図。
【図３】図１のバルーンライト１において，バルーン３と保護枠体７を外した状態を示す正面図。
【図４】図３の金属筒１２の一部拡大図。
【図５】図３の支持部材２に保護枠体７を取り付けた正面図。
【図６】ソケット支持部１４にソケット１６を設置していない状態の図３の金属筒１２の断面図。
【図７】保護枠体７の他の実施形態を示す正面図
【図８】図１のバルーンライト１に天頂蓋８及び支持具１９を取り付けた状態を示す正面図。
【発明を実施するための形態】
【００３３】
以下に，添付図面を参照しながら本発明のバルーンライト１の一実施形態について説明する。
【００３４】
図１に示すように，本実施形態のバルーンライト１は，取り付けベース部２ａとランプホルダー部２ｂから構成される支持部材２と，該支持部材２に連結されるシート製のバルーン３と，支持部材２に保持され前記バルーン３を膨らませる空気を供給する送風機５と，支持部材２に取り付けられた保護枠体７と，前記支持部材２に支持され前記保護枠体７の内側に配置される光源部１０を備えている。
【００３５】
支持部材２（取り付けベース部２ａ  ランプホルダー部２ｂ）
図１及び図３に示すように，本実施形態の支持部材２は，所定の厚みを有する円板状の取り付けベース部２ａ上に，円形の蓋体の下面に円周方向に等間隔に，鉛直方向に延在する４つの縦枠２ｅ（図５）の上端が固定されて形成されたランプホルダー部２ｂを着脱可能に固定して構成されるもので，全体が有底有蓋の略円筒状の枠体を成しており，また，前記取り付けベース部２ａの下面に，バルーンライト１を支える支柱（図示せず）の先端を差し込んで連結できる連結部２ｄを備えた構造となっている。
【００３６】
また，前記取り付けベース部２ａ上に送風機５が取り付けられており，また，取り付けベース部２ａには，外部から空気を吸い込むための通風孔（図示せず）が形成され，該通風孔にフィルター（図示せず）が設けられている。そして，図３に示すように，この送風機５が設置された取り付けベース部２ａ上に，後述する光源部１０を保持するランプホルダー部２ｂを設置する。本実施形態のランプホルダー部２ｂは，円形の蓋体の下面に円周方向に等間隔に，鉛直方向に延在する４つの縦枠２ｅの上端が固定されて形成されており，前記各縦枠２ｅの下端部において取り付けベース部２ａに取り外し可能に固定されている。なお，取り付けベース部２ａ上に配設される送風機５の設置又は取り外しについては，前記ランプホルダー部２ｂを取り付けベース部２ａから外すことで，容易に行うことができる。
【００３７】
本発明のバルーンライト１は，支持部材２にバルーン３を連結するものであり，バルーン３を支持部材２の取り付けベース部２ａに直接取り付け固定する等いかように連結しても良いが，本実施形態では，図２に示すように，支持部材２の取り付けベース部２ａがフランジ部２ｃを有しており，該フランジ部２ｃと該フランジ部２ｃ上に設置される筒状のバルーン固定金具４の下端に設けられたフランジ部４ａとでバルーン３の基部を内側と外側から狭持し固定している。前記フランジ部４ａは，前記フランジ部２ｃと同心円状の環状に形成されている。
【００３８】
なお，バルーン固定金具４は，支持部材２の取り付けベース部２ａに固定してもよいが，本実施形態のバルーン固定金具４は，支持部材２に着脱可能であり，図２に示すように，支持部材２のランプホルダー部２ｂは，前述の周方向に等間隔に設けられた縦枠２ｅそれぞれの下端部にフック２ｆが取り付けられており，また，バルーン固定金具４の側壁４ｂには，前記各フック２ｆに対応するように周方向に同じ間隔で切欠部４ｃ及びリンク４ｄが設けられている。そして，バルーン固定金具４を支持部材２のフランジ部２ｃ上に載置し，前記各切欠部４ｃから突出したフック２ｆにリンク４ｄを引っ掛けた後，リンク４ｄを固定するためのレバー４ｅを締めてバルーン固定金具４を支持部材２の取り付けベース部２ａに固定することができるもので，レバー４ｅの操作のみでバルーン固定金具４の着脱を容易に行えるものとなっており，バルーン３の交換も容易となる。
【００３９】
光源部１０
本発明のバルーンライト１の光源部１０は，支持部材２に保持されるものであり，本実施形態では，支持部材２の前記ランプホルダー部２ｂ上において，光源部１０を構成する複数のＬＥＤ電球１８が設置された金属筒１２を保持している。
【００４０】
図３，４に示すように，本実施形態の光源部１０は，支持部材２のランプホルダー部２ｂに支持される六角柱状の金属筒１２の一側面の一部に略Ｕ字状の切欠部を設け，該切欠部に囲まれた部分を前記金属筒１２の軸芯に向かって折り曲げ形成したソケット支持部１４を，前記金属筒１２の長手方向上部の各側面に一箇所ずつ計六箇所設け，同様に，金属筒１２の長手方向中央部の各側面に一箇所ずつ計六箇所設け，さらに，金属筒１２の長手方向下部の側面一つおきに一箇所ずつ計三箇所設け，各ソケット支持部１４に設置したソケット１６にＬＥＤ電球１８を取り付けた構成となっている。また，長手方向上部及び中央部のソケット支持部１４について，軸芯に向かって押し込んだソケット支持部１４が金属筒１２内で互いに接触しないように，周方向に隣り合うソケット支持部１４の高さを互いにずらしている。
【００４１】
上述のように構成された光源部１０は，外側全周方向に対し投光することができる上に，各ソケット１６に設置された各ＬＥＤ電球１８の口金部が金属筒１２内に入り込んだ状態となるため光源部１０全体をコンパクトにすることができるものとなっている。さらに，図６は，ソケット支持部１４にソケット１６を設置していない金属筒１２の断面図であるが，この図が示すように，本実施形態では，軸芯に向かって押し込んだソケット支持部１４が金属筒１２内で互いに接触しないように，周方向に隣り合うソケット支持部１４の高さを互いにずらし，隣り合うソケット支持部の一部が段違いに重なるようにしているため，金属筒１２（柱体）の断面の径を小さくし，光源部１０をよりコンパクトなものにしている。
【００４２】
また，各ソケット１６に接続される配線（図示せず）は，金属筒１２内に収容することができる。
【００４３】
本実施形態のように金属筒１２は，多角柱状のものが好適であり，また，金属筒１２の高さ，または多角柱の角数（３角以上）を変えることで，ＬＥＤ電球１８を付ける量を増減可能である。
【００４４】
また，本実施形態では，ＬＥＤ電球１８を斜め下向きに設置することで，工事現場等に設置されたバルーンライト１が，下方の地面側を効果的に照らすことができるようになっている。
【００４５】
また，前記支持部材２の取り付けベース部２ａに，各ソケット１６に繋がる配線（図示せず）を通す孔の他に，送風機５に連通する適宜大きさの通風孔（図示せず）を設けることで，送風機５からの給気が金属筒１２内を通り各ソケット支持部１４から排出される気流の通路を形成し，ＬＥＤ電球１８を効果的に冷却することができる。
【００４６】
保護枠体７
本実施形態のバルーンライト１は，ＬＥＤ電球１８がバルーン３に接触しないようにするために，図５に示すように，格子状で略円筒形状に枠組みされた保護枠体７を支持部材２の取り付けベース部２ａに取り付けて，ＬＥＤ電球１８を保護枠体７で囲んでいる。
【００４７】
本実施形態の保護枠体７は，ＬＥＤ電球１８の取り替えを行い易くするために支持部材２に着脱可能としており，取り付けに際しては，図２，図５に示すように，保護枠体７の下端に設けられた断面逆Ｌ字状の環状の嵌め込み部７ｂをランプホルダー部２ｂの前記円形の蓋体の外周部に被せるように嵌め込んだ後，ランプホルダー部２ｂの前記各縦枠２ｅに設けられたリンク２ｇを，該リンク２ｇに対応するように前記嵌め込み部７ｂの周方向に同じ間隔で設けられたフック７ｃに引っ掛け，レバー２ｈを締めて保護枠体７を支持部材２に固定することができるもので，レバー２ｈの操作のみで本実施形態の保護枠体７の着脱を容易に行えるものとなっている。
【００４８】
なお，保護枠体７は，ＬＥＤ電球１８がバルーン３に接触しないようにかつＬＥＤ電球１８の光を遮らないようにＬＥＤ電球１８を囲むものであればその形状は特に限定されず，例えば，保護枠体７の別の実施形態として，図７に示すように，図５の保護枠体７の上端部７ａ（全体が上側ほど小径の円錐台形になるように，縦枠を３本周方向に並べ各縦枠の上部を環状の横枠に連結した枠体）を外したものを使用してもよい。
【００４９】
バルーン３
前記バルーン３に，前記光源部１０を出し入れする開口部（図示せず）を形成し，該開口部を開閉するファスナー（図示せず）を設けることで，ファスナーの操作でバルーン３を開けて光源部１０を出して，ＬＥＤ電球１８の交換等を容易に行うことが可能となる。
【００５０】
また，本発明のバルーン３は，図８に示すように，前記ファスナー（図示せず）で開閉する前記開口部（図示せず）とは別にバルーン３の頂部に円形の開口部を形成し，該開口部を天頂蓋８で塞いで使用しても良い。
【００５１】
支持具１９
なお，本発明のバルーンライト１には，図８に示すように，半割の支持具１９を支持部材２に嵌め込んで取り付け，膨らませたバルーン３がふらつかないように，バルーン３の下部を支えてバルーン３全体の揺れを防ぐようにしても良い。本実施形態の支持具１９は，中空の略球体を半割したような略ボウル状で，具体的には，図８に示すように，膨らんだバルーン３下部の表面に沿うように湾曲した側周壁部１９ａと前記取り付けベース部２ａに嵌め込めるよう断面略凹状に形成された底部１９ｂとから成り，底部１９ｂには前記連結部２ｄを挿通可能な開口部を有している。
【符号の説明】
【００５２】
１  バルーンライト
２  支持部材
２ａ  取り付けベース部
２ｂ  ランプホルダー部
２ｃ  フランジ部
２ｄ  連結部
２ｅ  縦枠
２ｆ  フック
２ｇ  リンク
２ｈ  レバー
３  バルーン
４  バルーン固定金具
４ａ  フランジ部
４ｂ  側壁
４ｃ  切欠部
４ｄ  リンク
４ｅ  レバー
５  送風機
７  保護枠体
７ａ  上端部
７ｂ  嵌め込み部
７ｃ  フック
８    天頂蓋
１０  光源部
１２  金属筒
１４  ソケット支持部
１６  ソケット
１８  ＬＥＤ電球
１９  支持具
１９ａ  側周壁部
１９ｂ  底部
【図１】
2017033822.tif 000003
【図２】
2017033822.tif 000004
【図３】
2017033822.tif 000005
【図４】
2017033822.tif 000006
【図５】
2017033822.tif 000007
【図６】
2017033822.tif 000008
【図７】
2017033822.tif 000009
【図８】
2017033822.tif 000010